(57)【特許請求の範囲】
【請求項１】
装置本体を開閉自在な上シャーシと下シャーシに分割し、この上シャーシと下シャーシの内部に磁気カードの搬送手段や印字手段を配設した磁気カードリーダライタであって、
前記上シャーシの両側面に、前記下シャーシ側に屈曲した屈曲部を備えた略コの字形線材の開放端側を固定し、前記下シャーシの両側面に、前記略コの字形線材の屈曲部と対向する位置に孔を設け、前記略コの字形線材の屈曲部と前記孔が脱着自在に係合する構成とし、
前記上シャーシ側の両側面にコの字形の開閉用取手の基端部を回転自在に軸着することにより、この開閉用取手を起状自在としたことを特徴とする磁気カードリーダライタ。
【発明の詳細な説明】
【０００１】
【発明の属する技術分野】
本発明は、ＩＤカードやプリペイドカードの磁気データを記録再生する磁気カードリーダライタに関するものである。
【０００２】
【従来の技術】
従来の磁気カードリーダライタの構造について、図面を参照しながら説明する。図８は、従来の磁気カードリーダライタの側面断面図である。磁気カード１は、挿入口２から挿入されて、駆動ローラ３、４、５とその各々に対向する押圧ローラ８、１０、１２によりガイダー６から成る搬送路７内を走行する。
【０００３】
２５は磁気カード１に情報を記録再生する磁気ヘッド、２６は磁気ヘッド２５に対向当接する磁気ヘッド押圧ローラである。１４は磁気カード１を搬送する駆動源となるモータ、２７は磁気カード１に情報を印字するサーマルヘッド、３０は印字時にサーマルヘッド２７に対向当接するプラテンローラ、２９はサーマルヘッド２７を上下動させるソレノイド、４５ａ、４５ｂは装置を制御する基板である。以上の主要部品は、装置の骨格を形成する１組のシャーシ４６に軸支、または他の部品を介して固定されている。
【０００４】
【発明が解決しようとする課題】
以上のように従来の磁気カードリーダライタでは、装置の主要部品は装置の骨格を形成する１組のシャーシに軸支、または他の部品を介して固定されており、また装置は上下が基板４５ａ、４５ｂで覆われている。また実使用上、磁気カードリーダライタはシステム装置に取付けられている。
【０００５】
ところで市場で磁気カードリーダライタを使用する場合、挿入口２からゴミ、ほこり等が侵入し駆動ローラ３、４、５、押圧ローラ８、１０、１２に固着すると磁気カードがスリップし、記録再生エラーが発生する。また磁気ヘッド２５に固着しても同様のエラーが発生し、サーマルヘッド２７に固着すれば印字不良が発生する。
【０００６】
したがってこれらの固着したゴミ、ほこり等を取り除くため定期的な清掃が必要となる。しかしながら従来の磁気カードリーダは前記のような構成となっているためシステム装置から取り外しても、駆動ローラ３、４、５、押圧ローラ８、１０、１２、磁気ヘッド２５、サーマルヘッド２７を清掃する為には、かなりの部品を分解しなければならず、手間がかかり困難である。
【０００７】
そこで清掃を簡単に行えるように磁気カードの搬送ガイド近傍を境に、装置の骨格を形成するシャーシを上下２組に分け、上側シャーシに駆動ローラを軸支し、サーマルヘッドを取付け、下側シャーシに押圧ローラ、磁気ヘッドを取付け、支点を中心に上側シャーシが開閉するものが知られている。このような開閉式の磁気カードリーダライタでは、上側シャーシを開くことにより、内部の磁気ヘッド等を直接清掃することができる。
【０００８】
しかしながら上シャーシを開閉式にすると、上シャーシに開閉用の取手を設ける必要があり、この開閉用取手のために装置の全高が高くなってしまうという問題点があった。そこで本発明は、全高を低くできる小型コンパクトな磁気カードリーダライタを提供することを目的とする。
【０００９】
【課題を解決するための手段】
本発明は上記目的を達成するために、装置本体を開閉自在な上シャーシと下シャーシに分割し、この上シャーシと下シャーシの内部に磁気カードに搬送手段や印字手段を配設した磁気カードリーダライタであって、前記上シャーシ側の両側面にコの字形の開閉用取手の基端部を回転自在に軸着することにより、この開閉用取手を起状自在とした。
【００１０】
【発明の実施の形態】
上記構成により、常時は開閉用取手を倒状させておくことにより装置の全高を低くでき、また開閉用取手を起すことにより、上シャーシを簡単に開閉できる。
【００１１】
以下、本発明の一実施の形態について図を参照しながら説明する。図１は本発明の一実施の形態の磁気カードリーダライタの内部構成を示す上側平面図、図２は同内部構成を示す側面断面図である。また図３は同上シャーシを開いた場合の側面断面図、図４は同上シャーシを閉じた場合の上側平面図、図５は同上シャーシを閉じた場合の側面図である。また図６は同磁気カードリーダライタの側面図、図７は同断面図である。
【００１２】
図１、図２に示すように、磁気カード１は、挿入口２から挿入され、駆動ローラ３、４、５によってガイダー６で構成される搬送路７内を走行する。磁気カード１の搬送力は、前記３個の駆動ローラ３、４、５に各々、押圧ローラ８が押圧バネ９、押圧ローラ１０が押圧バネ１１、押圧ローラ１２が押圧バネ１３によって押圧付勢されることにより得られる。
【００１３】
磁気カード１の搬送源はモータ１４であり、その駆動力は、モータ１４の軸に圧入されたモータギャ１５からギャ１６、１７により、第三軸１８に取り付けられた駆動ローラ５へ、ついで第三軸１８と第二軸１９に取付けられたプーリ２０に掛けられたタイミングベルト２１により第二軸１９に取り付けられた駆動ローラ４へ伝達され、更に第二軸１９と第一軸２２に取付けられたプーリ２３に掛けられた丸ベルト２４により第一軸２２に固定された駆動ローラ３に伝達される。
【００１４】
磁気ヘッド２５はヘッド押圧バネ（図示せず）により磁気ヘッド２５と対向する位置に配置された磁気ヘッド押圧ローラ２６に押圧付勢されている。サーマルヘッド２７はホルダー２８に固定され、ソレノイド２９により磁気カード１の所定の位置に印字する場合は対向するプラテンローラ３０に押圧付勢され、磁気カード１が搬送される場合は搬送路７から退避される。
【００１５】
市場で磁気カードリーダライタを使用した場合、挿入口２からゴミ、ほこり等が侵入し各駆動ローラ３、４、５、及び各押圧ローラ８、１０、１２に固着すると磁気カード１がスリップし、記録再生エラーが発生する。磁気ヘッド２５、磁気ヘッド押圧ローラ２６に固着しても、同様のエラーが発生し、サーマルヘッド２７、プラテンローラ３０に固着すれば印字不良が発生する。これら固着したゴミ、ほこり等を取り除くため定期的な清掃が必要となる。
【００１６】
図３に示すように、清掃を簡単に行えるようにガイダー６近傍を境に、装置の骨格を形成するシャーシを開閉自在な上シャーシ３１と下シャーシ３２に分け、下シャーシ３２に支点板３３を固定し支点板３３に軸着された上シャーシ３１のシャフト３４を中心に上シャーシ３１が矢印Ａ方向に開閉する構造になっている。
【００１７】
上シャーシ３１には各駆動ローラ３、４、５が軸支され、サーマルヘッド２７、磁気ヘッド押圧ローラ２６が取付けられている。下シャーシ３２には各押圧ローラ８、１０、１２、磁気ヘッド２５が取り付けられ、プラテンローラ３０が軸支されている。シャフト３４を中心に上シャーシ３１を開けば磁気ヘッド２５等を直接清掃棒３５で清掃することができる。
【００１８】
しかしながらこの様なシャーシ開閉構造にすると、簡単に上シャーシ３１が開閉でき、上シャーシ３１を閉じた場合、確実に対向する駆動ローラ３、４、５と押圧ローラ８、１０、１２、磁気ヘッド２５と磁気ヘッド押圧ローラ２６等が当接するよう保持するロック機構が必要となる。
【００１９】
以下ロック機構と開閉用取手について、図４〜図７を参照して説明する。図５に示される正面視して略コの字形線材３６の開放端側３７を上シャーシ３１の孔３８に位置決めしネジ３９で固定する。他方の下シャーシ３２の前記略コの字形線材３６の屈曲部Ｄ（図７）と対向する位置に孔４０を設け、略コの字形線材３６の屈曲部Ｄと孔４０が脱着自在に係合する構成とした。また孔４０には下シャーシ３２を保護するためのカバー４１が取り付けられている。更に上シャーシ３１の左右の孔４２に、略コの字形線材で構成された開閉用取手４３の開放端である基端部が回転自在に軸着されており、したがって開閉用取手４３は上シャーシ３１上で起状させることができる。また上シャーシ３１に固定された段ねじ４４（図６）により、開閉用取手４３の回動角度を規制している。図５に示すように上シャーシ３１が閉じている場合、開閉用取手４３は、基板保護カバー４５の上に自重により倒状している。そのため装置の全高を低くすることができる。
【００２０】
次に上シャーシ３１を開く場合はシステム装置の上カバー（図示せず）を取り外し、図５において作業者は、開閉用取手４３を矢印Ｅ１方向に起こし矢印Ｆ１方向に引っ張る。すると略コの字形線材３６の傾斜部Ｇ（図７）とカバー４１により略コの字形線材３６は矢印Ｈ１方向に移動し、上シャーシ３１を簡単に開くことができる。このように上シャーシ３１を開いたうえで、清掃棒３５により内部を清掃する（図３参照）。
【００２１】
装置の清掃が終了したら、開閉用取手４３を矢印Ｆ２方向に押すことにより、図７において略コの字形線材３６の傾斜部Ｉがカバー４１により矢印Ｈ１方向に開く。更に開閉用取手４３を押すと下シャーシ３２の孔４０と略コの字形線材３６の屈曲部Ｄが係合し、略コの字形線材３６が矢印Ｈ２方向に戻り傾斜部Ｇとカバー４１が当接することにより、上シャーシ３１と下シャーシ３２を保持することができ、上シャーシ３１を閉じて開閉用取手４３を矢印Ｅ２方向に戻す。
【００２２】
【発明の効果】
以上のように本発明は、開閉用取手を回転自在に上シャーシ側に設けているので、常時は開閉用取手を倒状させておくことにより装置の全高を低くでき、また開閉用取手を起すことにより、上シャーシを簡単に開閉でき、使用勝手のよい磁気カードリーダライタを実現できる。
【図面の簡単な説明】
【図１】本発明の一実施の形態の磁気カードリーダライタの内部構成を示す上側平面図
【図２】本発明の一実施の形態の磁気カードリーダライタの内部構成を示す側面断面図
【図３】本発明の一実施の形態の磁気カードリーダライタの上シャーシを開いた場合の側面断面図
【図４】本発明の一実施の形態の磁気カードリーダライタの上シャーシを閉じた場合の上側平面図
【図５】本発明の一実施の形態の磁気カードリーダライタの上シャーシを閉じた場合の側面図
【図６】本発明の一実施の形態の磁気カードリーダライタの側面図
【図７】本発明の一実施の形態の磁気カードリーダライタの断面図
【図８】従来の磁気カードリーダライタの側面断面図
【符号の説明】
１  磁気カード
３、４、５  駆動ローラ
８、１０、１２  押圧ローラ
２５  磁気ヘッド
２７  サーマルヘッド
３１  上シャーシ
３２  下シャーシ
３６  略コの字形線材
４３  開閉用取手
【図１】
0003591103.tif 000002
【図２】
0003591103.tif 000003
【図３】
0003591103.tif 000004
【図４】
0003591103.tif 000005
【図５】
0003591103.tif 000006
【図６】
0003591103.tif 000007
【図７】
0003591103.tif 000008
【図８】
0003591103.tif 000009